(57)【特許請求の範囲】
【請求項１】
ランドセル本体（１）の上方に突出する手提げ紐（２）の両端部を、背環（３）の左右対称位置に突設した一対の取付け片（４）に取り付けたことを特徴とするランドセルであって、
前記背環（３）は、基板（６）と、カバー板（７）と、前記基板（６）とカバー板（７）とを前記ランドセル本体（１）に取り付けるための当て板（１１）とを含み、
前記当て板（１１）は、前記基板（６）および前記カバー板（７）の上に順に被せられた、押え板（１１ａ）と、補強板（１１ｂ）と、表示板（１１ｃ）とを有し、
前記取付け片（４）は、前記押え板（１１ａ）の両側部に突設されており、
前記基板（６）、前記カバー板（７）、前記押え板（１１ａ）、前記補強板（１１ｂ）および前記表示板（１１ｃ）を貫通する止め具（１４）により前記背環（３）が前記ランドセル本体（１）の背当て部（５）に取り付けられており、
前記手提げ紐（２）の両端部および前記押え板（１１ａ）を貫通する止め具（１４）により前記手提げ紐（２）の両端部が前記取付け片（４）に取り付けられている、ランドセル。
【請求項２】
前記取付け片（４）を、前記背環（３）の両側部に突設したものとし、前記手提げ紐（２）を取り付けるためのリベット孔（１９）を設けたものとしたことを特徴とする請求項１記載のランドセル。
【発明の詳細な説明】
【技術分野】
【０００１】
この発明は、学童が背負う以外に、手提げ式にして使用することができるランドセルに関するものである。
【背景技術】
【０００２】
従来、学童が背負う以外に、手提げ式にして使用することができるようにしたランドセルとしては、特許文献１や特許文献２に記載のものが存在する。
【０００３】
特許文献１に記載のランドセルは、図８に示したように、手提げ紐２１の両端部にハトメを設け、これらのハトメにリベットなどの止め具２２を貫通させ、かしめることによって、ランドセル本体２３の背当て部２４の中央上部に設けられた背環２５の左右の任意の位置に固定したものとしていた。
【０００４】
特許文献２に記載のランドセルは、図９に示したように、ランドセル本体３１の上方に突出する手提げ紐３２の両端部を、ランドセル本体３１の背当て部３３の中央上部に設けられた背環３４と、その背当て部３３の間に配し、前記両端部と背環３４を貫通する止め具３５により、前記背当て部３５に固定したものとしていた。
【先行技術文献】
【特許文献】
【０００５】
【特許文献１】実用新案登録第３１６３２５７号公報
【特許文献２】実用新案登録第３１６０１７８号公報
【発明の概要】
【発明が解決しようとする課題】
【０００６】
この種のランドセルでは、前記手提げ紐の両端部は、それぞれ背当て部の左右対象位置に取り付けないと、ランドセル本体を手に提げた場合に、そのランドセル本体が傾いてしまうことになる。
【０００７】
ところが、上記特許文献１に記載のランドセルは、手提げ紐２１の両端部は、ランドセル本体２３の背当て部２４の中央上部に設けられた背環２５の左右の任意の位置に固定したものとしていたので、その位置決めがし難く、背当て部２４の左右対象位置に取り付けるのが、困難であったり、時間が掛かったりするなどの問題点を有していた。
【０００８】
さらに、この種のランドセルでは、背当て部の左右対象位置に取り付けられた手提げ紐の両端部は、適当な間隔をおいて配置されていないと、ランドセル本体の上方に手を差し込むのに適当な空間を形成されず、手提げ式にして使用する場合に、手を差し込みにくくなる。
【０００９】
ところが、上記特許文献２に記載のランドセルは、手提げ紐３２の両端部を、背環３４と背当て部３３の間に配し、その両端部と背環３４を貫通する止め具３５により、背当て部３３に固定したものとしていたので、手提げ紐３２の両端部の間は背環３４の全幅より短くなり、ランドセル本体３１の上方に狭い空間しか形成されず、手提げ式にして使用する場合に、手を差し込みにくくなるなどの問題点を有していた。
【００１０】
そこで、この発明は、上記従来の問題点を解決するものであり、手提げ紐の両端部を背当て部の左右対象位置に取り付けるのが簡単で、時間が掛かったりすることがなく、その手提げ紐の両端部を適当な間隔をおいて背当て部の左右対象位置に取り付けることができ、ランドセル本体の上方に手を差し込むのに適当な空間が形成され、手提げ式にして使用する場合に、手を差し込みにくくなることのないランドセルを提供することを目的としてなされたものである。
【課題を解決するための手段】
【００１１】
この発明のランドセルは、ランドセル本体１の上方に突出する手提げ紐２の両端部を、背環３の左右対称位置に突設した一対の取付け片４に取り付けたものとしている。背環３は、基板６と、カバー板７と、基板６とカバー板７とをランドセル本体１に取り付けるための当て板１１とを含む。当て板１１は、基板６およびカバー板７の上に順に被せられた、押え板１１ａと、補強板１１ｂと、表示板１１ｃとを有する。取付け片４は、押え板１１ａの両側部に突設されている。基板６、カバー板７、押え板１１ａ、補強板１１ｂおよび表示板１１ｃを貫通する止め具１４により背環３がランドセル本体１の背当て部５に取り付けられている。手提げ紐２の両端部および押え板１１ａを貫通する止め具１４により手提げ紐２の両端部が取付け片４に取り付けられている。
【００１２】
この発明のランドセルにおいて、前記取付け片４を、前記背環３の両側部に突設したものとし、前記手提げ紐２を取り付けるためのリベット孔１９を設けたものとしている。
【００１３】
この発明のランドセルにおいて、前記取付け片４を、合成樹脂の一体成形によって前記背環３に一体として突設したものとしている。
【発明の効果】
【００１４】
この発明のランドセルは、以上に述べたように構成されているので、手提げ紐の両端部を背当て部の左右対象位置に取り付けるのが簡単で、時間が掛かったりすることがないものとなる。
【００１５】
さらに、この発明のランドセルは、手提げ紐の両端部を適当な間隔をおいて背当て部の左右対象位置に取り付けることができるので、ランドセル本体の上方に手を差し込むのに適当な空間が形成され、手提げ式にして使用する場合に、手を差し込みにくくなることのないものとなる。
【図面の簡単な説明】
【００１６】
【図１】この発明のランドセルの一実施形態を示す背面図である。
【図２】この発明のランドセルの手提げ紐と背環の分解斜視図である。
【図３】この発明のランドセルの背環の基板からカバー板を外した状態の斜視図である。
【図４】この発明のランドセルの背環をランドセル本体の背当て部に取り付ける順序を示しており、その背当て部にカバー板で覆った基板を取り付けた状態を示す説明図である。
【図５】図４に示した基板の上に、当て板である押え板を重ね合わせた状態を示す説明図である。
【図６】図５に示した押え板のうえに、さらに当て板である補強板と表示板を重ね合わせた状態を示す説明図である。
【図７】図６に示したランドセル本体の背当て部に取り付けた背環に、手提げ紐を取り付けた状態を示す説明図である。
【図８】従来のランドセルの一例を示す要部背面図である。
【図９】従来のランドセルの他の例を示す背面図である。
【発明を実施するための形態】
【００１７】
以下、この発明のランドセルを実施するための形態を、図面に基づいて詳細に説明する。
【００１８】
この発明のランドセルは、図１に示したように、ランドセル本体１の上方に突出する手提げ紐２の両端部を、背環３の左右対象位置に突設した一対の取付け片４に取り付けたものとしている。
【００１９】
ランドセル本体１の基本的な構成は、図１に示したように一般的なランドセルと同様であり、上面が開口した箱状の収納部と、収納部の開口を覆う被せと、クッション材を内部に有する背当て部５と、背当て部５の中央上部に設けられた前記背環３などからなる。
【００２０】
背環３は、図２、３に示したように、合成樹脂材などから形成される基板６と、この基板６の表面を覆う合成樹脂材などから形成される薄手のカバー板７と、前記基板６とカバー板７との間に設けた空室Ｓ内に揺動可能に収容した一対の揺動アーム８と、前記空室Ｓ内において揺動アーム８をそれぞれ中央方向に付勢するバネ９と、不使用時のランドセルを吊り下げておくための吊下環１０と、前記基板６とカバー板７とをランドセル本体１に取り付けておくための当て板１１とからなるものとしている。この当て板１１は、一枚ものからなるものとしてもよいが、図示したように、合成樹脂材などから形成される押え板１１ａ、金属材などから形成される補強板１１ｂ、合成樹脂材などから形成される表示板１１ｃなどの複数枚を重ねてなるものとしてもよい。なお、揺動アーム８の上端には、取付部８ａが設けられており、この取付部８ａには、ランドセル本体１の背負いベルト１２が取り付けられている。また、表示板１１ｃには、名札や、絵や文字を書いた紙片など貼り付けておくための凹部１３が形成されている。
【００２１】
さらに、背環３は、空室Ｓ内をリベット（止め具１４）が通過するようにカバー板７の上部の中央にリベット孔１５ａを設け、カバー板７の上部の両端寄りにリベット孔１５ｂ、１５ｂを設けると共に、基板６の上部の中央にリベット孔１６ａを設け、基板６の上部の両端寄りにリベット孔１６ｂ、１６ｂを設け、カバー板７側からこれらリベット孔１５ａ、１５ｂ、１５ｂおよびリベット孔１６ａ、１６ｂ、１６ｂにそれぞれリベット（止め具１４）を貫通させて、ランドセル本体１の背当て部５の裏側に取り付けられる止め板Ｓにリベット止めしている。
【００２２】
なお、当て板１１となる押え板１１ａ、補強板１１ｂ、表示板１１ｃの中央には、それぞれリベット孔１７ａ、１７ｂ、１７ｃを設けると共に、それらの両端寄りに、それぞれリベット孔１７ｄ、１７ｄ、１７ｅ、１７ｅ、１７ｆ、１７ｆを設けている。そして、背環３の基板６およびカバー板７を前記止め板にリベット止めする場合、ランドセル本体１の当生地１８（図４参照）に前記基板６およびカバー板７を挟み込んで、これらの上に押え板１１ａ、補強板１１ｂ、表示板１１ｃの順で被せ、これらのリベット孔１７ａ、１７ｂ、１７ｃおよびリベット孔１７ｄ、１７ｄ、１７ｅ、１７ｅ、１７ｆ、１７ｆにもそれぞれ前記リベット（止め具１４）を貫通させることにより、前記基板６およびカバー板７と共にこの当て板１１を、ランドセル本体１の背当て部５の裏側に取り付けられる前記止め板Ｓにリベット止めしている。
【００２３】
取付け片４は、左右一対としており、前記背環３の両側部に突設したものとしている。図示したものでは、取付け片４は、前記背環３を構成する当て板１１の両側部に突設したものとし、手提げ紐２を取り付けるためのリベット孔１９を設けたものとしている。この取付け片４は、図示したものでは、前記背環３を構成する当て板１１となる押え板１１ａの両側部に突設したものとしている。
【００２４】
なお、取付け片４は、図示したものでは、前記背環３の両側部に突設したものとしているが、この背環３の上側面部に突設したものとしてもよく、また前記背環３を構成する当て板１１の押え板１１ａに突設したものとしているが、この当て板１１の補強板１１ｂや表示板１１ｃに突設したものとしても、場合によっては、前記背環３を構成する基板６やカバー板７に突設したものとしてもよい。
【００２５】
さらに、取付け片４は、合成樹脂の一体成形などによって前記背環３に一体として突設したものとするのが製作し易く好ましいが、ねじ止め、嵌め合せなどによって前記背環３に別体として突設したものとしてもよい。
【００２６】
手提げ紐２は、布地や皮革地などの各種の素材からなるもので、図１、２に示したように略逆Ｕ字状に曲げられ、ランドセル本体１の上方に少なくとも手が差し込める空間が開く程度に突出する態様で設けられる。
【００２７】
さらに、手提げ紐２の両端部は、リベット孔２０、２０を設けたものとし、それぞれ前記背環３の取付け片４と背当て部５の間に位置させ、これらリベット孔２０、２０に左右の取付け片４のリベット孔１９、１９からリベット（止め具１４）を貫通させて、背当て部５の裏側に取り付けられる止め板Ｓにリベット止めしている。なお、止め板Ｓは、強度性に優れた合成樹脂板にしたり、ステンレス、アルミ合金などの金属板にしている。そのため、この止め板Ｓの存在によって、手提げ紐２の両端部のリベット止めが強固なものとなり、手提げ紐２の両端部は、背当て部５から外れ難いものとなる。また、止め具１４は、リベット以外にも、ボルト・ナット等、手提げ紐２と背当て部５を貫通する態様の適宜のものとすることができる。
【００２８】
以上のように構成されたこの発明のランドセルは、ランドセル本体１の上方に突出する手提げ紐２の両端部を、背環３の左右対象位置に突設した一対の取付け片４に取り付けたものとしているので、背環３の背当て部５の中央部への取り付けによって、取付け片４の位置が背当て部５の左右対象位置となり、手提げ紐２の両端部も背当て部５の左右対象位置となる。
【００２９】
さらに、この発明のランドセルは、背環３の左右対象位置に突設した一対の取付け片４の突設具合によって、手提げ紐２の両端部を適当な間隔に配置することができるので、ランドセル本体１の上方に手を差し込むのに適当な空間が形成されることになる。
【符号の説明】
【００３０】
１  ランドセル本体
２  手提げ紐
３  背環状
４  取付け片
１９  リベット孔
【図１】
0005813384.tif 000002
【図２】
0005813384.tif 000003
【図３】
0005813384.tif 000004
【図４】
0005813384.tif 000005
【図５】
0005813384.tif 000006
【図６】
0005813384.tif 000007
【図７】
0005813384.tif 000008
【図８】
0005813384.tif 000009
【図９】
0005813384.tif 000010